Podtech/llm-jp-corpus-v4-ja_patent huggingface dataset:
(57)【要約】【課題】匂いを放出できる部材を提供する。【解決手段】匂い成分を、吸着および放出する珪藻土を含む部材。本発明によれば、任意の匂いを任意の場所で放出できる部材を提供する。【選択図】なし【特許請求の範囲】
【請求項１】
匂い成分を、吸着および放出する珪藻土を含む部材。
【請求項２】
前記珪藻土が、抗菌機能を有する珪藻土である請求項１の部材。
【請求項３】
前記珪藻土が、抗菌、消臭機能を有する珪藻土である、請求項１または２の部材。
【請求項４】
前記珪藻土が、稚内珪藻土を含む珪藻土である、請求項１〜３のいずれか１に記載の部材。
【請求項５】
前記匂い成分が、香水、花の香、料理の香、飲食物の香のいずれかまたは、これらのうちの複数の香を含むことを特徴とする、請求項１〜４のいずれか１に記載の部材。
【請求項６】
前記部材が、パネル、ポスター、板、置物、バスマット、コースター、紙、模型、玩具のいずれか、および／または、これらの製造中間体である、請求項１〜５のいずれかに記載の部材。
【請求項７】
表面に、絵、写真、および／または文字を印刷した、請求項１〜６のいずれかに記載の部材。
【発明の詳細な説明】
【技術分野】
【０００１】
本発明は、匂い（香り、臭い）を放出する部材に関する。より詳しくは、珪藻土を含む匂い放出部材に関する。
【背景技術】
【０００２】
従来、広告パネルから香成分を放出させる方法としては、独立の香水の入ったボトルをパネルの裏に配置し、ガスにより芳香成分を放出される方法が知られている（特許文献１）。
【０００３】
しかしながら、この方法では、パネルの背面又は側面に香成分を含む溶液を含むボトルと、ガス放出用のガスタンク等の設置が必要で、設置にはある程度のスペースが必要であった。
【０００４】
また、香成分をバインダーにより結合させておいて、加熱することで香成分を放出する機能性パネルの発明（特許文献２）もあるが、これも加熱する仕組みが必要で、構造が複雑になり、かつコストが高くなるという問題があった。
そこで、省スペースで、簡便、低コストで香成分を放出させられる広告パネルなどの部材の開発が求められていた。
【先行技術文献】
【特許文献】
【０００５】
【特許文献１】特表２００６−５２１５７５
【特許文献２】特開１９９９−３３３２３８
【発明の概要】
【発明が解決しようとする課題】
【０００６】
匂いを放出できる部材を提供する。
【課題を解決するための手段】
【０００７】
（１）匂い成分を、吸着および放出する珪藻土を含む部材
（２）前記珪藻土が、抗菌機能を有する珪藻土である（１）の部材。
（３）前記珪藻土が、抗菌、消臭機能を有する珪藻土である、（１）または（２）の部材。
（４）前記珪藻土が、稚内珪藻土を含む珪藻土である、（１）〜（３）のいずれか１に記載の部材。
（５）前記匂い成分が、香水、花の香、料理の香、飲食物の香のいずれかまたは、これらのうちの複数の香を含むことを特徴とする、部材。
【０００８】
（６）前記部材が、パネル、ポスター、板、置物、バスマット、コースター、紙、模型、玩具のいずれか、および／または、これらの製造中間体である、（１）〜（５）のいずれかに記載の部材。
（７）表面に、絵、写真、および／または文字を印刷した、（１）〜（６）の部材。
【発明の効果】
【０００９】
本発明によれば、任意の匂いを任意の場所で放出できる部材を提供する。
【発明を実施するための形態】
【００１０】
本発明においては、匂い成分を、吸着および放出する珪藻土を含む部材を提供する。該珪藻土は、好ましくは、抗菌機能を有する。また、抗菌及び／又は消臭機能を有する珪藻土であってもよい。かかる機能を有する珪藻土としては、稚内珪藻土を含む珪藻土であることが好ましく、乾燥または焼成した稚内珪藻土が特に好ましい。
【００１１】
本発明における「匂い成分」とは、臭い成分、香成分も含む概念である。匂い成分は嗅覚を刺激するものであれば特に制限はないが、例えば、香水、花の香、料理の香、飲食物の香等のうちいずれかまたは、これらのうちの複数の香を含んでいてもよい。悪臭よりは芳香が好ましい。これらの香は、ポスターの内容に関連していることが好ましい。例えば、花の絵が描かれたポスターならその花の香、果物であれば、その果物の香、料理の絵であれば、その料理の香などが好ましく用いられるがこれらに限られない。要は、ポスターの内容にマッチした匂い（臭い、香）、またはポスターやパネル等の効果を高められる匂いであればよい。
【００１２】
本発明における「部材」とは、部品に限らず、完成品としての製品も含む。部材としては、例えば、パネル、ポスター、板、置物、バスマット、コースター、紙、模型、および玩具のいずれか、ならびに／または、これらの製造中間体であってもよい。
【００１３】
本明細書において、「含む」とは、部材の内部に含む場合のみでなく、表面に塗布されたり、スプレーされたりした場合も含む。すなわち、本発明の部材は、珪藻土を内部に含んでいてもよく、表面に塗布あるいはスプレーされてもよい。
【００１４】
本発明における部材の珪藻土含有量は、目的に応じて適宜決定することができる。より多くの匂い成分を吸着させたい場合は、珪藻土の含有率を上げることが好ましい。部材における珪藻土の含有率は、好ましくは、０．１％〜９９％、より好ましくは、０．１〜９５％、さらに好ましくは、０．１〜９０％であるが、これらに限られない。また、好ましい下限は、０．１％、０．２％、０．３％、０．４％、０．５％、０．６％、０．７％、０．８％、０．９％、１．０％、２．０％、３．０％、４．０％、５．０％、６．０％、７．０％、８．０％、９．０％、または１０．０％以上であってもよい。好ましい上限は、９９％、９５％、９０％、８５％、８０％、７０％、６０％、５０％以下であってもよい。要は目的とする量の匂い成分が吸着され、放出されればよい。
【００１５】
本発明に用いる珪藻土は、結合剤を含むことが好ましい。好ましい結合剤としては、でんぷん、セルロース等が用いられる。セルロースとしては、カルボキシメチルセルロース（CMCセルロース）、メチルセルロース、ヒドロキシエチルセルロース等が好ましく用いられるがこれらに限られない。要は珪藻土を結合でき、匂い成分を吸着・放出できるものであればよい。
【００１６】
その他の結合剤としては、コロイダルシリカも好ましく使用できる。また、水分吸収を阻害しない樹脂であれば使用できる。要は珪藻土を結合でき、香成分の放出を阻害しないものであればよい。
【実施例】
【００１７】
（実施例１）
稚内珪藻土を含むコースターに、絵をプリントし、そのコースターに対して香水を０．３ｍｌスプレーした。香水は珪藻土に吸着され、徐々に放出された。香の放出はスプレーしてから３日間程度観測された。
【００１８】
（実施例２）
花の絵をプリントした珪藻土を５％含むパネルの花の部分に花の香の香水を０．３ｍｌスプレーした。香はパネルから５０ｃｍの距離まで感じられた。香はスプレー後、３日間放出が感じられた。
【産業上の利用可能性】
【００１９】
本発明は、食品産業、化粧品産業、広告業等で利用できる。
(57)【要約】【課題】従来のランプシェードの和紙が経年劣化した場合、和紙は枠組みに糊付け固着してあるため、和紙交換コスト（費用と労力・職人技）が多大であった。その交換コストを大幅に削減し、和紙との交換による和紙の魅力と芸術性の拡大を図る。【解決手段】古い和紙を巻き付けた円筒を輪から抜き出し、古い和紙を取り外し、新しい和紙を円筒に巻き付け、再度輪に挿入する。古い和紙は、円筒に巻き付けた和紙の重なり合う両端を糊付けしてあるので、簡単に円筒から取り外し、新しい和紙に交換できる。和紙の交換コストの大幅な削減で、随時新しい和紙との交換が可能で、和紙の魅力と芸術性の幅を飛躍的に拡大できる。【選択図】図１
2019102414.tif 000002
【特許請求の範囲】
【請求項１】
イ、台座（１）に支柱（２）を立て、その上部に輪（３）を取り付け、台座（１）の中心部に電源（４）を設置した本体
ロ、輪（３）の直径より小さめの透明素材の円筒（５）に和紙（６）を巻き付け、その重なり合う両端を糊付けする。
ハ、それを輪（３）の中に挿入し、台座（１）まで降ろし電源（４）を点灯する。
本発明は、イとロを、ハのように組み合わせた構造物である。
【発明の詳細な説明】
【技術分野】
【０００１】  本発明は、透明素材の円筒に和紙を巻き付け、それを台座に立てた支柱の上部に取り付けた輪に挿入し、台座の中心に設置した電源の点灯により映し出される和紙の色彩効果を楽しむ、和紙交換ランプシェードに関するものである。
【背景技術】
【０００２】  従来の和紙ランプシェード（提灯・行灯等）は、和紙をその枠組みに糊付け固着していた。それ故に和紙の交換に多大なるコスト（費用と労力・職人技）がかかっていた。
【発明の概要】
【発明が解決しようとする課題】
【０００４】  従来の和紙ランプシェード（提灯・行灯等）は、和紙を枠組みに糊付け固着したものであり、経年劣化した和紙を新しい和紙に交換する場合、多大なるコスト（費用と労力・職人技）を要していた。そのため適宜に新しい和紙と交換する場合に大きな制約があり、無限にある和紙の色彩効果を日常的に楽しむことが困難であった。
本発明は、以上のような欠点をなくすためになされたものである。
【課題を解決するための手段】
【０００５】  本発明は、台座（１）の中心部に電源（４）を設置し、その周辺に支柱（２）を立て、その上部に輪（３）を取り付け、和紙（６）を巻き付けた円筒（５）を輪（３）に挿入し、下まで降ろし電源（４）を点灯する。巻き付けた和紙（６）は、その重なり合う両端を貼付するものとする。
本発明は、以上の構成による和紙交換ランプシェードである。
【発明の効果】
【０００６】          イ、    本発明は、和紙を枠組みに糊付け固着したものでなく、円筒に巻き付                けた和紙の重なり合う両端を糊付けしたものであるので、古い和紙を簡                単に円筒から抜き出し新しい和紙に交換できるので、交換に要するコス                ト（費用と労力・職人技）と時間の大幅な削減になる。交換時間は約５                分。本発明は、和紙をはがし、張り付ける技術（職人技）を不用にし、                しかもその形状は安定的である。
ロ、    新しい和紙との交換が簡単であるので、随時自分の趣向にあった和紙                に交換して、和紙の豊かな色彩効果を日常的に楽しむことが出来る。同                時に自分で創作した和紙（押し花・落ち葉・切り絵等）にも交換出来る                ので、和紙そのものの装飾性と芸術性の幅を飛躍的に拡大できる。。
【図面の簡単な説明】
【０００７】
【図１】本体の斜視図である。
【図２】本体の正面図である。
【図３】本体の平面図である。
【図４】和紙と円筒の斜視図である。
【図５】和紙と円筒の正面図である。
【図６】和紙と円筒の平面図である。
【発明を実施するための形態】
【０００８】            以下、本発明を実施するための形態について説明する。
イ、    台座（１）に支柱（２）を立て、その上部に輪（３）を取り付け、台                座（１）の中心に電源（６）を設置した本体。
透明素材の円筒（４）に和紙（５）を巻き付けて、その重なり合う両                端を糊付けする。巻き付けた和紙は筒から簡単に抜ける形になる。
円筒（５）の直径は、輪（３）の直径より小さめのものとする。
ロ、    和紙（５）を巻き付けた円筒（４）を輪（３）に挿入し台座（１）ま                で降ろし、電源（６）を点灯する。和紙の色彩が映し出される。
本発明は、以上のような構成よりなるランプシェードである。
ハ、    新しい和紙に交換する場合、古い和紙（５）の円筒（４）を輪（３）                から抜き出し、円筒（４）から古い和紙（５）を取り外し、新しい和紙                （５）を巻き付け交換し、再度輪（３）に挿入し電源（６）を点灯する                。
【符号の説明】
【０００９】    １、  台座
２、  支柱
３、  輪
４、  円筒
５、  和紙
６、  電源
【図１】
2019102414.tif 000003
【図２】
2019102414.tif 000004
【図３】
2019102414.tif 000005
【図４】
2019102414.tif 000006
【図５】
2019102414.tif 000007
【図６】
2019102414.tif 000008
(57)【要約】      （修正有）【課題】病気やダイエットなどで、食事管理の必要がある場合の、本人の食欲に対するストレス、毎日の調理をする人の労力及び精神的負担を減らすシステム及びビジネスモデルを提供する。【解決手段】会員の制限成分情報・摂取上限・好み・性別・居住地・年齢・職種をもとに、データベース化されたおかずレシピから、朝食・昼食・夕食・弁当のメニューを選択し、完成写真・作り方・材料・分量・成分表を会員に一覧表で送付する。外食は、パソコンや携帯端末から、メニュー成分情報が登録してある外食店舗を検索し、利用してもらう。利用データは事前に選択した食事と置き換える。【選択図】図１
2019102040.tif 000002
【特許請求の範囲】
【請求項１】
食材の成分情報を表示したメニュー・レシピを、日常の栄養制限をしている会員に制限食の内容・健康状態の登録を行ってもらい、各会員に合う朝・昼・夕食・弁当のレシピを提供するシステム及びビジネスモデル
【請求項２】
提供したレシピを前提に、摂食データを会員別に蓄積し提供するシステム及びビジネスモデル。
【請求項３】
提供したメニューに元ずいて、各会員に食材を宅配するシステム及びビジネスモデル。
【発明の詳細な説明】
【技術分野】
【０００１】本発明は、家庭内における糖尿病患者、透析患者及び腎臓病患者の食事において、詳しい栄養学や細かな食品成分の知識がない人でも、ネットワークを通じて、個々の会員の病状や年齢、性別、生活習慣、体調に合わせた栄養管理ができるレシピを総合的に取得できるシステム及びビジネスモデルである。【０００２】従来のネットワーク上のレシピ紹介サイトでは、単品での提案が多く、また、細かな栄養成分量は表示されていない。そのため、食事の栄養管理をしなければならない人にとって、どのようなおかずを食べればよいのか、組み合わせるか、その都度考えなければならない。また、調理したおかず類の成分量を計算をしなければならないなど、調理する者は多くの時間と労力を要する。
【発明の概要】
【発明が解決しようとする課題】
【０００３】生活習慣病（糖尿病・高血圧・高脂血症）、腎臓病や内臓疾患などの病気においては、投薬・運動・食事管理が重要である。中でも栄養管理は家族の協力が不可欠であり、管理するものにとっては大きな負担である。【０００４】家庭において、通常調理する者が行わなければならないことは
イ）  食事する本人の好みや成分摂取制限などを考え、まず何を作るかを決める事。
ロ）  食事の栄養成分量を計算し、各おかずの摂食量をいくらにするかを決定する事。
ハ）  摂取した食品のデータを集計し、日々の成分制限に収まっているか数値管理を行う      こと。【０００５】外食や中食においては、メニューの細かな成分量がわからない事が多いため、手軽に外食店舗で食事したり、コンビニ食材を利用することには不安がある。【０００６】本発明は会員が自分でメニューを選択することができるし、また、データベースからその会員の摂取制限に沿ったメニューを朝食・昼食・夕食に分け自動的に提供することができるシステムであるため、調理者が一番苦労する「毎日何を作るか」を解消することができる。
毎日の食事を少しでも楽しいものにし、自身の健康状態を維持するための精神的不安や、協力する家族の労力を少しでも軽減するためのシステムである。
【課題を解決するための手段】
【０００７】会員に「現在の健康状態」や「食事の制限成分」や「職業」「居住地」「年齢」「性別」「好み」等、に関する初期登録を行ってもらう。【０００８】登録内容をもとに、データベース上に用意された多数のレシピの中から、各会員に適したものを選択し、使用食材・分量・調理法・完成写真・含有成分量等を表示したものを、日にちごとに朝食・昼食・夕食・弁当などのセットで分類し、スマートフォンやタブレットＰＣ宛てに送信する。その他の手段はファックス、郵便で送付する。【０００９】登録会員はレシピ通りの食事で毎日の食事管理を行うことができる。【００１０】送付・送付した、個々のレシピの成分履歴をサーバー上で蓄積・更新管理し、会員がいつでも確認することができる。【００１１】使用食材は各会員ごとに集計し、提携した各地のスーパーからの宅配を可能とする。【００１２】  外食店舗のメニューとその成分情報を提供・登録してもらい、会員がメニューの成分内容を検索・閲覧できるようにする。【００１３】外食の際、メニューの成分登録している店舗情報を携帯端末のＧＰＳ機能を使用し、検索して利用する。
【発明の効果】
【００１４】病気で食事制限を受けている者は、食事のストレスから、調理者に対してわがままになりがちである。また調理者も毎日数種類のメニュー考案、栄養計算、実際の調理と、通常の料理に比べ何倍もの労力を必要とし、また多大なストレスがかかる【００１５】個々の栄養管理内容に合致し、多くのレシピの中から選択でき、本人の趣向も満足できれば、日々の生活にも潤いがうまれ、病気の改善に役立ち、家族の精神的安定も得られ、患者のＱＯＬ（Ｑｕａｌｉｔｙ  ｏｆ  ｌｉｆｅ）を向上させる効果も期待できる。【００１６】また、誰もが簡単に自身の健康状態に合った食事メニューを選択できるため、成人病予備軍と呼ばれる人達や、ダイエットを志す人たちにも各自に合った食事管理が可能となり、毎回の摂取栄養分の内容が目に見えて確認できれば、病気の重篤化などを予防する上でも効果が期待できる。
【図面の簡単な説明】
【００１７】
【図１】本発明におけるシステムの概要図
【図２】本発明よるシステムを利用したビジネスモデル  ▲１▼栄養管理メニュー供給システム。会員情報・会員履歴・メニューデータ・成分データ・材料データ・外食メニューデータ・配送管理データ  ▲２▼運営会社。メニュー開発・成分分析・会員サポート・レストラン運営  ▲３▼レストラン。開発実施メニューの提供  ▲４▼携帯端末。会員登録・メニュー閲覧・提案メニューの受信及び閲覧・ＧＰＳ機能によるメニュー登録済みの外食店舗の検索  ▲５▼家庭用ＰＣ及びＦＡＸ。会員登録・メニュー閲覧・提案メニューの受信及び閲覧  ▲６▼外食産業。店舗所在地、取扱いメニューのネットワーク上への登録  ▲７▼宅配スーパーマーケット。レシピ使用材料の宅配を希望する会員への配達。
【発明を実施するための形態】
イ．会員登録の申請
ロ．会員番号・パスワードの発行
ハ．会員の「制限成分」「現在の健康状態」「年齢」「居住地」「職業」「性別」「好み    」の登録
ニ．各会員の朝食・昼食・夕食・弁用のレシピをデーやベースより選択
ホ．使用食材・分量・調理法・完成写真・成分量をスマートフォン・タブレットＰＣ・メ    ール・ＦＡＸ・郵便で送付
ヘ．各会員の日別の利用履歴の蓄積
ト．期間ごとの利用履歴を各会員に返送
チ．外食店舗名とその店舗ごとのメニュー情報を登録
リ．各会員が登録外食店舗のメニュー情報を検索し、選択してもらう
選択したメニューは予定送信メニューに置き換わる
【図１】
2019102040.tif 000003
【図２】
2019102040.tif 000004
(57)【要約】      （修正有）【課題】前後や左右を揃える手間を無くす履物を提供する。【解決手段】履物の前後に形状記憶素材の２つのアッパー付け、履物の前後と左右を対象形状にする。不特定多数が共用する履物は、前後や左右を乱雑に脱ぎ捨てられる事があるが、揃える手間を無くし、足腰が悪い人の負担を軽減させる。【選択図】図１
2019202106.tif 000002
【特許請求の範囲】
【請求項１】
前後に形状記憶素材の２つのアッパーを有する履物。
【請求項２】
前後と左右対称形状を特徴とする履物。
【発明の詳細な説明】
【技術分野】
【０００１】  本発明は、前後や左右を揃える手間を無くす履物に関するものである。
【背景技術】
【０００２】  従来、左右対称形状の履物があり公知である。
【発明の概要】
【発明が解決しようとする課題】
【０００３】  不特定多数が共用する履物は、前後や左右を乱雑に脱ぎ捨てられると揃える手間があり、また足腰が悪い人は揃える事が負担になった。
【課題を解決するための手段】
【０００４】  本発明に関わる履物は、前後に形状記憶素材の２つのアッパーを設け、前後と左右を対称形状にした。
【発明の効果】
【０００５】  本発明は履物の前後と左右は無関係に履くことができ、整理整頓がし易く、揃える手間と負担を無くすことができる。
【図面の簡単な説明】
【０００６】
【図１】本発明の平面図である。
【図２】本発明の側面図である。
【図３】図２における踵側アッパーを拡大し、履いた状態と脱いだ直後の形状変化を示した側面図である。
【発明を実施するための形態】
【０００７】  履物の前後に形状記憶素材の２つのアッパー付け、履物の前後と左右を対象形状にする。
【符号の説明】
【０００８】  １  アッパー
２  ソール
【図１】
2019202106.tif 000003
【図２】
2019202106.tif 000004
【図３】
2019202106.tif 000005
(57)【要約】【課題】従来のカバンは移動する収納具として、物を入れて運ぶためだけのものとして使われてきたが、追加機能として照明装置を、その取手部分に取付けることによって、地震のような天災時にもパニックにならず、安全に身を守れるようにした。副次的に夜道を照らす明りや自宅鍵穴を照らすことができると共に、取手より取り出し、単独の照明器具として使用可能である。【解決手段】なかなか非常時に備え、身近に用意できない照明装置を、毎日持ち歩いているカバンの取手に着脱自在に内蔵させておくことによって、いやでも安全対策ができるようにした。【選択図】図１
2019202101.tif 000002
【特許請求の範囲】
【請求項１】
カバンの取手に照明装置を組み込んだ照明装置付きカバン。
【請求項２】
カバンの取手握り部に、照明装置を着脱自在に取り付けた請求項１記載の照明装置付きカバン。
【請求項３】
照明装置の投光部に着脱自在のキャップを取り付けた請求項１記載の照明装置付きカバン。
【発明の詳細な説明】
【技術分野】
【０００１】  本発明は、照明装置を備えたカバンに関するものである。
【背景技術】
【０００２】  従来のカバンには容器としての機能はあるが、照明装置を備えたものはなかった。
【先行技術文献】
【０００３】  本案には、簡単な構造であるにも係らず、先行技術といえるものは以外にも発見することができなかった。
【発明の概要】
【発明が解決しようとする課題】
【０００４】  一般的に多くの人は、突然の災害に対しての備えを怠りがちであるため、その対策が必要である。
【課題を解決するための手段】
【０００５】  本発明は、かかる課題を解決するために工夫したもので、特に暗闇の中で災害に遭遇した場合、暗くいがために平常心を失いパニックにならないように、照明装置を自分がいつも持ち歩いているカバンに備えておこうというものである。
【発明の効果】
【０００６】  上述したごとく、この照明装置付きカバンの照明装置は、地震などの天災時以外にも、夜道を歩くときの明りとなるばかりではなく、自宅の鍵穴を照らして鍵を開けるのにも役立ち便利である。【０００７】  また、この照明装置は着脱自在に設置されているため、図２に示すごとく、いつでも取手より取り出して、単独の照明器具として用いることができるので、不足の事態に対応ができる便利さがある。
【図面の簡単な説明】
【０００８】
【図１】本発明の取手近辺の図である
【図２】取手部分から照明装置を取り出している参考図
【図３】照明装置の投光部に着脱自在の投光部蓋を取り付けた場合の参考図
【発明を実施するための形態】
【０００９】  以下、図に基づいて説明すると、図１は一般的なカバンであるために部分省略してあるが、本発明の取手が着けられたカバンの図であり、握り部３の中に照明装置が内蔵されている。
【００１０】  カバンの取手の握り部分に照明装置を包みかくすようにカバーし、一見、外部からは照明装置の存在がわからないように設置している。
【００１１】  しかも、その照明装置は取手と着脱自在になっており、必要に応じて、一個の照明装置としてカバンと分離させ、独立した照明装置として利用できることを特色としている。
【００１２】  図２は握り部より照明装置を取り出した状態を示す図であり、このように単独で照明装置を使用できる。
【産業上の利用可能性】
【００１３】  以前のカバン業界では、全くの異分野である電気業界の商品を取り込むことによって、旧態然としたカバン業界に新しい息吹を吹き込み、もって、産業の発展に寄与することが期待される。【００２９】  これは、海外物に市場を奪われている現状を考えれば、逆に海外へ打って出る戦略になるのではないかとさえ思われる。
【符合の説明】
【００３０】  １    カバン
２    取手
３    握り部
４    照明装置
５    カバー
６    投光部蓋
【図１】
2019202101.tif 000003
【図２】
2019202101.tif 000004
【図３】
2019202101.tif 000005
(57)【要約】      （修正有）【課題】広範囲における室内において、火災発生時に対応する自動で粉末消火剤が散布できる状態にするため、既存の室内の壁面に常設できる粉末消火剤容器を提供する。【解決手段】常設を可能にするために室内の景観をこわさないデザインを形成するため、プラスチック素材で粉末消火剤容器１を形成し、軽量かつ安価で取り付けが安易であり重量が軽い装置とする。室内の温度の上昇により粉末消火剤容器内が膨張することで破裂し、粉末消火薬剤２が散布される。【選択図】図１
2019202107.tif 000002
【特許請求の範囲】
【請求項１】
天井面又は壁面に、基盤となる金属板を強力接着剤により取り付ける。基盤には留め金があり、粉末消火剤が充満された消火剤容器が固定できる。消火剤入り容器は交換が可能である。室内温度の上昇により消火剤容器内が膨張し破裂することで粉末消火剤が拡散され火災の延焼をおくらせる。
【請求項２】
消火剤の容器の材質は一般家庭の室内に常設することを目的とするため、軽量でかつ室内景観に合わせてデザインできるプラスチックとポリエチレンを素材とする。
【発明の詳細な説明】
【技術分野】
【０００１】  本発明は火災発生時に粉末消火剤を自動で広範囲わたり拡散して延焼を防ぐ目的にして、一般家庭内において常設しうるためのものである。
【背景技術】
【０００２】  消火器は広く一般的に周知されている。また、扱いやすい手投げ式消火器や火元になりうるキッチンにおける自動消火器がある。【０００３】  消火薬剤は火災発生源による消火薬があり、また家庭用として広く扱われている消火剤も安全性が高められている
【発明が解決しようとする課題】
【０００４】  今後日本の高齢者の増加また、障害者、子供などにおいて人の手における消火は困難をきわめ、大地震においても然りであるため、住居内のあらゆる場所に設置可能な消火装置の必要性がある。
【０００５】  消火器は周知されてるが、住居内においてその背景に合わない外観や重さによる危険性などにより生活上の位置付けが低い。
【課題を解決するための手段】
【０００６】  出火した際の熱や煙に対し人が消火にあたることを前提としない自動消火剤拡散装置を常設するためには室内の背景と同化または、デザイン化出来、かつ安価で取り付けが安易であり重量が軽い装置であるためプラスチック及びポリエチレンシートを消火剤容器とする。（以後ｐｐ容器とする。）
【０００７】  室内の温度の上昇により粉末消火剤（主成分リン酸アンモニウム）を充満させたｐｐ容器内が膨張し破裂することで粉末消火剤が拡散し、火災の広がりを遅らせかつ、消火が期待できる。
【０００８】  ｐｐ容器を設置する基盤となる金属板を室内天井、壁、家具ほかに強力接着剤で固定し、設置箇所を釘などで傷つけず又、取り付けを安易とする。消火剤ｐｐ容器は固定された基盤にとめ具で取り付けられ、交換可能とする。
【発明の効果】
【０００９】  自動で安価で居室の背景をこわさない事で  広く一般家庭に消火剤拡散装置が設置され、発生場所が特定できない火災の減少と被害の縮小が期待できる。
【発明を実施するための形態】
【００１０】  粉末消火剤ｐｐ容器は形、色、デザインを形成過程で取り入れることができ、室内の背景をそこなわない。消火剤の重量は１キロから２キロと軽量とし、取り付け場所に複数設置することで，消火能力が向上する。
【００１１】  粉末消火剤ｐｐ容器を取り付ける基盤の金属板は接着剤にて固定し取り付け場所を選ばない。
【図面の簡単な説明】
【００１２】
【図１】粉末消火剤プラスチック容器
【図２】容器を取り付ける基盤となる金属板
【図３】室内における消火剤拡散装置の設置例
【符号の説明】
【００１３】    １  粉末消火剤容器
２  粉末消火剤
３  基盤となる金属板
４  容器留め金具
【先行技術特許文献】
【００１４】
【特許文献１】特開２０１０−１７４９１号広報
【図１】
2019202107.tif 000003
【図２】
2019202107.tif 000004
【図３】
2019202107.tif 000005
(57)【要約】【課題】りんごの飾り切りである「うさぎりんご」は子供のお弁当に喜ばれるが朝の忙しい時間帯に作るのは手間と感じ、それゆえ焦って包丁で手を切る可能性があった。【解決手段】りんごを縦に何等分かに切り、種部分を取り除き、皮を剥き、その上に、りんごの飾り切りである「うさぎりんご」の皮と同形シート状の人工素材を載せれば、朝の忙しい時間帯であっても、焦って包丁で手を切ることもなく、簡単に素早く、りんごの飾り切りである「うさぎりんご」を完成させる。【選択図】図２
2019202104.tif 000002
【特許請求の範囲】
【請求項１】
りんごを縦に何等分かに切り、種部分を取り除き、皮を剥き、その上に載せることを特徴とした、りんごの飾り切りである「うさぎりんご」の皮と同形シート状の人工素材。
【請求項２】
りんごを縦に何等分かに切り、種部分を取り除き、皮を剥き、その上に載せることを特徴とした、りんごの飾り切りである「うさぎりんご」の皮と同形、または任意の形のシート状の人工素材。
【発明の詳細な説明】
【技術分野】
【０００１】りんごの飾り切りである「うさぎりんご」の皮の代りに同形シート状の人工素材を用いて「うさぎりんご」完成させ、手を切る危険性と作業の簡略化を図る。
【背景技術】
【０００２】りんごの飾り切りである「うさぎりんご」は、子供のお弁当に喜ばれるが朝の忙しい時間帯に作るのは手間と感じ、それゆえ焦って包丁で手を切る危険性があった。
【発明の概要】
【発明が解決しようとする課題】
【０００３】包丁で手を切らぬよう安全に簡単で素早く、りんごの飾り切りである「うさぎりんご」を完成させる。
【課題を解決するための手段】
【０００４】りんごの飾り切りである「うさぎりんご」の皮の代りに同形シート状の人工素材を用いる。
【発明の効果】
【０００５】包丁で手を切る危険性もなく、簡単に素早く、りんごの飾り切りである「うさぎりんご」を完成させることができた。
【図面の簡単な説明】
【０００６】
【図１】平面図
【図２】立体図
【発明を実施するための形態】
【０００７】りんごの飾り切りである「うさぎりんご」の皮と同形シート状の人工素材
【実施例】
【０００８】りんごを縦に何等分かに切り、種部分を取り除き、皮を剥き、その上に、りんごの飾り切りである「うさぎりんご」の皮と同形シート状の人工素材を載せる。
【産業上の利用可能性】
【０００９】構成構造がシンプルなので製品化が容易である。
【図１】
2019202104.tif 000003
【図２】
2019202104.tif 000004
(57)【要約】      （修正有）【課題】口座内の箱を口座外へ流出させない現金の口座内固定方法を提供する。【解決手段】口座内の内容物を袋に入れ、ラベルに口座番号、氏名、金額を明記して、フィルタリングし、ラベルが外れない形で袋につける。【選択図】なし【特許請求の範囲】
【請求項１】
銀行内口座又は証券会社内口座の中の現金や箱（たとえば出願番号のはこ）を入れるラベルのついた袋というシステム。ラベルには、口座番号  氏名、現金金額が書かれている。
【発明の詳細な説明】
【技術分野】
【０００１】本発明は、銀行又は証券会社内口座内現金保持（固定）方法に関する。
【背景技術】
【０００２】従来は、口座内現金の固定に関しては、口座内で固める、まとめるか、ロック又は、規制をかけるといったやり方がなされている。
窓口で依頼か、電話で依頼する。ロックや規制や固定とは、口座の外からパソコン操作の影響をうけないようにするといったことであり、ネットバンクダイレクトから振込みをすることはできないし、ＡＴＭから振込むこともできない。
又、自動振込取り返し機によるとりかえしで現金を保持するといったやり方もある。
【発明の概要】
【発明が解決しようとする課題】
【０００３】口座内現金を固定依頼すると、口座内にあるのが現金だけならば、固定が可能である。だが、口座内に、特許庁専用口座のように他人の口座が大量に存在し、その中に入っているのが、出願番号の箱であって、現金ではないとすると、銀行窓口で固定依頼をだしても、箱を固定することはできないのである。固定できるのは、現金である。又、仮りに固定したとしても、固定方法によっては、口座出口に穴をあけられたら出てしまう。
【課題を解決するための手段】
【０００４】口座内の箱を口座外へ流出させないためには、口座内出願ＮＯの箱を袋に入れて、袋に口座ＮＯと氏名、金額を明記したラベルを貼りつけることである。そのようにするならば、袋は、口座内から外へ流出する可能性は低いといえる。ただし、口座ＮＯを書いたラベルは、フィルタリングされており、お客個人によって、外されたり、書き換えられたりできないものでなければならない。万が一、口座番号を書いたラベルごと外されたならば、振込手数料が０円と化し、銀行が損害をうけてしまうことになる。
だから、銀行の普通貯金口座などに袋を適用したならば、振込を行うわけであるから、銀行側は、手数料を別枠で請求できなければ、手数料をとれないことになる。
現在、インターネットバンキングダイレクト（個人用）が存在し、普通貯金をあえて登録することによってインターネットバンキングダイレクトに加入したとみなしているが、実状、銀行奥内パソコンで普通貯金などとまざり、インターネットバンキングダイレクトに所属しない口座でも、インターネットバンキングダイレクトから振込みどろぼうにされてしまうといった被害が存在する。
このように、この袋（ピュン）は、振込の予定のない口座に適用することが大切である。つまり、入金後自動固定口座や特許庁専用口座である。
ネットバンクダイレクトの影響のあるものには、おすすめできないといえる。
もし、振込に相関のある場合は、かきかえのできないラベルに書いた金額を振込手数料として計算できることである。
出願ＮＯの箱を袋に入れ、口座ＮＯと氏名、金額を明記することにより、この箱や現金の所在がこの口座の外にでた時にも区別してあることになる。一つの銀行や証券会社の中で、この口座ＮＯをもつものは、一つであるから、必ず、明記されているのであれば、口座の中へもどっていくのである。
だから、万が一ネットバンクダイレクトによって何らかの形で口座の外へ流出しそうになったとしても、自分で勝手に口座へもどるということである。
特許庁専用口座の中のある人の口座の中の出願ＮＯの箱を固定する方法である。ある人の口座と特許庁専用口座（法人口座）の口座ＮＯもつなげる方が好ましい。つながなければ、法人口座に振込むだけになってしまう。
法人口座の中の個人口座の中へ振込むのであるから、振込先には、法人口座ＮＯのあとに個人口座ＮＯがつらならなければならない。
入金後自動固定口座については、万が一、口座の出口に穴をあけられるなどありえない個人的侵害行為をうけた場合に、袋に入れて、口座ＮＯと氏名と現金の金額を明記するならば、インターネット上にバラバラとお金をバラまくことがなく、口座内から流出することがない。
この自動固定口座で振込みを扱う場合は、窓口で行うことが望ましい。
【発明の効果】
【０００５】口座内現金に所在を明記することにより、万が一不正振込された場合でも、すぐに自分でもどるので、どろぼうされることが可能性として低い。
自動振込取り返し機（ワンニャン）を何らかの形で外されても、ぬすみにくいと思われる。
【発明を実施するための形態】
【０００６】口座内現金を袋に入れて、ラベルに口座番号  氏名  金額を明記し貼りつけ、ラベルはフィルタリングし書きかえることができないようにする。
又、袋のラベルをはがすことはできないものとする。
【０００７】特許庁専用口座か、入金後自動固定口座などの中で適用する。
振込みを利用することがあたり前の普通貯金や貯蓄貯金では利用は好ましくない。もし利用するならば、振込むことができないか、ラベルを外して銀行側振込手数料０円にさせられてしまう。
(57)【要約】【課題】  辞書（辞典）を使うとき、活用しやすいように一冊の辞書（辞典）を複数に分冊化したものを提供する。【解決手段】  一冊の辞書（辞典）を活用しやすい複数の分冊化したものを特徴とする。【特許請求の範囲】
【請求項１】
一冊の辞書（辞典）を複数に分冊化した、分冊辞書。
【発明の詳細な説明】
【技術分野】
【０００１】この発明は、辞書（辞典）を複数に分冊化するものである。
【背景技術】
【０００２】従来、辞書（辞典）は一冊になっていた。
【先行技術文献】
【特許文献】
【０００３】
【特許文献１】
【発明の概要】
【発明が解決しようとする課題】
【０００４】これは、次のような欠点があった。
辞書（辞典）は、従来、一冊の重量が重く、かさばるため、持ち運びに不便であった。
本発明は、以上のような欠点をなくすためになされたものである。
【課題を解決するための手段】
【０００５】辞書（辞典）は、複数以上に分冊化することにより、重量が軽減され、持ち運びを容易にするものである。
【発明の効果】
【０００６】辞書（辞典）は、持ち運びに不便であったが、分冊化することにより、軽量化が図られ、容易に活用することが可能となった。これにより、いつ、どこでも辞書（辞典）の活用が、可能となる。
【図面の簡単な説明】
【０００７】
【発明を実施するための形態】
【０００８】以下、本発明を実施するための形態について説明する。
辞書（辞典）を複数以上の分冊とし、利用の便宜を図る。
【符号の説明】
【０００９】
(57)【要約】【課題】耐火建築材の軽量化を実現する。【解決手段】外周に燃代部があって、該燃代部の内周に沿うように燃止部を配置し、該燃止部の内側に上下前後左右の加重応力に耐える芯材部を１又は複数個配置し、該芯材部を複数個配置するなら該芯材部の間にも燃止部を配置したことを特徴とする耐火建築材を提供する。【選択図】図１
2019202510.tif 000002
【特許請求の範囲】
【請求項１】
外周に燃代部があって、該燃代部の内周に沿うように燃止部を配置し、該燃止部の内側に上下前後左右の加重応力に耐える芯材部を１又は複数個配置し、該芯材部を複数個配置するなら該芯材部の間にも燃止部を配置したことを特徴とする耐火建築材。
【請求項２】
前記燃止部以外の燃代部と前記芯材部のいずれかもしくは全部を集成材とし、これにて構成されることを特徴とする請求項1記載の耐火建築材。
【請求項３】
前記燃止部は不燃化樹脂であることを特徴とする請求項１又は２記載の耐火建築材。
【請求項４】
前記燃止部は不燃化木材であることを特徴とする請求項１又は２記載の耐火建築材。
【請求項５】
前記燃止部は前記不燃化樹脂と前記不燃化木材を交互に配置したことを特徴とする請求項1又は２記載の耐火建築材。
【請求項６】
前記燃止部の前記不燃化樹脂は、発泡スチレン樹脂にホウ酸系無機物を含むコーティング被膜をした発泡スチロールを加熱成型した熱硬化性樹脂構造である、ことを特徴とする請求項３又は５に記載の耐火建築材。
【発明の詳細な説明】
【技術分野】
【０００１】
耐火建築材のかなでも集成材を使った耐火構造に関する技術分野である。
【背景技術】
【０００２】
近年の建築基準法の改正により、木造建築物に関する規制のフリー化が行われ、高層階の大規模な構造物も建造できるようになった。
【０００３】
このような構造物では力学的な面で集成材が候補にあがるが、一方で木であるがために火炎に対する対策を講じる必要がある。つまり、木であるが故に炭化は避けられないが、建築材表面の燃代部でこの炭化を押しとどめ、上下前後左右の加重応力に耐える芯材部まで延焼しなければよい。そういう観点で以下の先行技術文献においては芯材部までの延焼を防止する手段として燃止部に不陸吸収材を使用したり、モルタルを内部に配する構造を採用したりしている。
【先行技術文献】
【特許文献】
【０００４】
【特許文献１】特開２００６−１９２８６０号公報
【特許文献２】特開２０１４−  ８７９８０号公報
【発明の概要】
【発明が解決しようとする課題】
【０００５】
これら先行技術文献によれば不陸吸収材やモルタルを使えば芯材部に延焼は防げても、この従来の耐火建築材は相当の重量物となり、現場での合わせ工事等の取り扱いが困難になり、さらに高層階ともなればこの建築材の軽量化は最も解決しなければならない課題となる。本発明はこの課題に鑑みて発明されたものである。
【課題を解決するための手段】
【０００６】
第１請求項の発明は全体構成を示し、
周囲に燃代部があって、該燃代部の内周に沿うように燃止部を配置し、該燃止部の内側に上下前後左右の加重応力に耐える芯材部を１又は複数個配置し、該芯材部を複数個配置するなら該芯材部の間にも燃止部を配置したことを特徴とする耐火建築材であり、
【０００７】
その全体構造の下位概念としての第２から第６請求項においては、
前記燃止部以外の燃代部と、前記芯材部は強度さえ保てば通常の木材であってもよいが、簡便的には強度のあるこれらのいずれかもしくは全部を集成材とすることを特徴となし、
【０００８】
前記燃止部は不燃化樹脂又は不燃化木材としたり、または不燃化樹脂と不燃化木材を交互に配置することを特徴とし、
前記不燃化樹脂は、発泡スチレン樹脂にホウ酸系無機物を含むコーティング被膜をした発泡スチロールを加熱成型した熱硬化性樹脂構造、であることも特徴とした、耐火建築材を提供する。
【発明の効果】
【０００９】
この解決手段によって、耐火構造が実現でき、かつその燃止部の材料を選択することによってより軽量で取り扱いが簡単な建築材となる。
【図面の簡単な説明】
【００１０】
【図１】第一の本発明の実施例
【図２】第二の本発明の実施例
【発明を実施するための形態】
【００１１】
以下に実施例を示す。
【実施例】
【００１２】
図１は本発明の第一の実施例である。
この耐火建築材１の外周表面は集成材（強度が保たれば一般木材）である燃代部２を有し、この燃代部２の内側に沿って、燃止部４を配しており、燃代部２と燃止部４は接着剤など用いて接着されている。
【００１３】
この燃止部４はホウ酸加工した不燃化木材で実現も可能であるが、より軽量化を望むなら不燃化樹脂を使用する。
この樹脂は発泡スチレン樹脂にホウ酸系無機物を含むコーティング被膜をした発泡スチロールを加熱成型した熱硬化性樹脂構造である。
【００１４】
この燃止部４の内側に集成材（強度が保たれば一般木材）である芯材部３を1又は複数個配置し（本図では２個）、芯材部３を複数個配置するならその間にも燃止部４も配置している。燃止部４と芯材部３および芯材部３に挟まれる燃止部４も接着剤にて接着される。
【００１５】
図２は本発明の第二の実施例である。
図２は図１の燃止部４を不燃化木材（４−１）と不燃化樹脂（４−２）を交互に配置した耐火建築材であり、この燃止部４−１、燃止部４−２以外は図１と同じであるため説明を省略する。
【産業上の利用可能性】
【００１６】
耐火構造に優れた建築材料であり、しかも軽量であることから高層階の木造建築に適用できる。
【符号の説明】
【００１７】
１  耐火建築材
２  燃代部
３  芯材部
４  燃止部
４−１燃止部（不燃化木材）
４−２燃止部（不燃化樹脂）
【図１】
2019202510.tif 000003
【図２】
2019202510.tif 000004
(57)【要約】【課題】従来はスタンプを用いて模様を形成する場合不規則な模様しか得られず万華鏡のような規則的な連続模様を作成することは出来なかった。【解決手段】アクリルブロックや塩化ビニルのような透明な持ち手と、多角形状に形成した版を貼り合わせたスタンプを使用する。同サイズで図柄が異なる版を同位置に重ねて捺し、それらを辺どうしを合わせながら連ねて捺すことで万華鏡のような連続模様を得ることが出来る。万華鏡のようにたった一つの多角形模様という極めて限定した面積の模様から可能な限りの広い面積に模様を生み出すことが出来る。【選択図】なし【特許請求の範囲】
【請求項１】
面の模様を形成する上で、正三角形など連に捺すことが可能な多角形かつ同寸法の二つ以上の版に異なる模様を篆刻しそれらを同位置に重ねて捺すことで「万華鏡のような連続模様」が得られる技法。
【請求項２】
万華鏡のような連続模様を形成する為に使用する多角形の版と透明の持ち手を組み合わせたスタンプそのもの。
【請求項３】
このスタンプ技法により得られた模様とそれを利用した商品。
【発明の詳細な説明】
【技術分野】
【０００１】
本発明は多角形の版を連続的に重ねて捺すことにより万華鏡のような連続模様を形成するスタンプとそれらのスタンプを用いたデザイン技法に関するものである。
【発明の概要】
【発明が解決しようとする課題】
【０００２】
従来のスタンプでは一面に一つのスタンプを複数回捺して模様を形成する場合不規則な連続模様しか作成出来なかった。
【０００３】
万華鏡のような連続模様をスタンプによって得ることは出来なかった。
【課題を解決するための手段】
【０００４】
透明な持ち手、透明な版（塩化ビニルなど。版は透明でなくても可）を貼り合わせて使用する。版の大きさを正三角形、正四角形などの同一形状の多角形に限定することにより、一つのスタンプで無限に面の連続模様を構成することが出来る。
【発明の効果】
【０００５】
平面上にスタンプを用いて連続的な模様を無限に形成することが出来る。
【０００６】
万華鏡のような連続模様を形成することが出来る。
【図面の簡単な説明】
【０００７】
【図１】一辺４センチの正三角形の版で制作したスタンプを辺と辺を合わせて連続的に捺し形成した模様。
【図２】図１で形成した模様の上に、同サイズの版で制作した異なる模様を重ねて捺すことによって得られた模様。
【図３】図２の模様の上に同サイズの版で制作した異なる模様を重ねて捺すことによって得られた模様。柄の重複、色の一部が混色することで万華鏡のような連続模様を得られる。
【発明を実施するための形態】
【０００８】
アクリルブロックもしくは厚手の塩化ビニルなどの透明な持ち手を用いる。
【０００９】
版部分の形態を正三角形など辺と辺を突き合わせて連に捺すことが可能な多角形に形成する。
【００１０】
二つ以上の図柄を篆刻した版を制作し、同じ面に重ねて捺す。
【実施例】
【００１１】
図面１〜３を参照。
【産業上の利用可能性】
【００１２】
本発明のスタンプ技法によって得られた模様はデザイン素材として、衣類装飾品、建物の壁紙、文具紙製品など幅広い産業デザインに利用出来るものである。
【図１】
2019202480.tif 000002
【図２】
2019202480.tif 000003
【図３】
2019202480.tif 000004
(57)【要約】【課題】細胞集団として３次元的に培養ができる細胞培養法の提供を目的とする。【解決手段】ゲル内に洞を形成するステップと、前記洞内に細胞を播種し培養するステップとを有することを特徴とする。【選択図】  図１
2019013192.tif 000002
【特許請求の範囲】
【請求項１】
ゲル内に洞を形成するステップと、
前記洞内に細胞を播種し培養するステップとを有することを特徴とする洞内細胞培養法。
【請求項２】
前記ゲルは、コラーゲンゲルであることを特徴とする請求項１記載の洞内細胞培養法。
【請求項３】
ゲル内に洞を形成するための洞形成部材と、培養容器とを有することを特徴とする洞内細胞培養法に用いるためのキット。
【発明の詳細な説明】
【技術分野】
【０００１】
本発明は細胞の培養法に関し、特に３次元的な培養法に係る。
【背景技術】
【０００２】
生体内で起きている現象を培養器内で再現して細胞単位での各種解析に用いる目的で、あるいは生体組織や臓器等の構築を目的に、いろいろな細胞培養法が開発されている。
従来から一般的に行われている細胞培養法としては、培養皿を用いた単層培養法がある。
しかし、この培養法は伸展による細胞の扁平化と肥大化が誘導されるため、生体内における３次元的形成とは事象が異なる課題がある。
そこで近年、細胞をコラーゲンゲル等に包埋する３次元的な培養法が開発されている。
しかし、単細胞で培養を開始するために長期間の培養が必要であり、その形態やサイズにバラツキが大きい課題があった。
また、がん細胞を浮遊状態で特殊な培地下で培養して細胞凝集塊（spheroid：スフェロイド）を形成し、がん細胞を評価する方法が開発されている。
しかし、自発的にスフェロイドを形成するがん細胞が限られていること、未熟なスフェロイドでは組織における細胞極性が再現できていないことが課題となっている。
【０００３】
特許文献１には、移植体の作成を目的にポリマー繊維を用いた三次元担体を開示するが、細胞培養に適するものではない。
【先行技術文献】
【特許文献】
【０００４】
【特許文献１】特許第３５６７２６８号公報
【発明の概要】
【発明が解決しようとする課題】
【０００５】
本発明は、細胞集団として３次元的に培養ができる細胞培養法の提供を目的とする。
【課題を解決するための手段】
【０００６】
本発明に係る洞内細胞培養法は、ゲル内に洞を形成するステップと、前記洞内に細胞を播種し培養するステップとを有することを特徴とする。
ここでゲルには各種ゲルを用いることができるが、例えばコラーゲンゲルが例として挙げられる。
【０００７】
本発明においてゲル内に洞を形成するステップとしては、ゲル内に人工的空間を形成できるものであれば制限はない。
例えば、雫型の形状をしたビーズを包埋するようにゲルを形成させた後に、この雫型のビーズを抜きとる方法がある。
また、超小型の風船等のように、内部に気体や水等を入れて膨張させた薄膜体を包埋するようにゲルを形成させた後に薄膜体を収縮除去する方法がある。
さらには、ガラス製リング等を部分的に包埋させるようにゲルを形成し、その後にガラス製リングを抜きとることでリング状の洞を形成することも例として挙げられる。
【０００８】
本発明に係るキットは上記洞内細胞培養法に用いるためのものであり、ゲル内に洞を形成するための洞形成部材と、培養容器とを有することを特徴とする。
【発明の効果】
【０００９】
本発明はゲル内に３次元的空間となる洞を形成し、その内部に球状の細胞集団として培養することができるので、洞内で増殖した細胞の極性は洞内に管腔（頂端）側が位置し、基底側が外側に配置され、生体内の組織における細胞極性と同様になる。
このようにして、洞内で迅速に細胞集団が形成されるので、細胞の細胞外マトリックス形成能には依存しない。
本発明は洞内で３次元的に細胞が増殖するため、人工的、機械的な増殖阻害は全く認められず長期間の細胞培養及び増殖が可能であり、その結果として細胞の多層構造形成、３次元的な基底膜形成、立体的な形態形成が誘導可能である。
【００１０】
本発明に係る細胞培養法は、細胞競合等を含めたがん細胞浸潤機構、発がん機構、がん幹細胞維持機構の解明に有効である。
また、がん治療薬のスクリーニングや人工多能性幹細胞（ｉＰＳ細胞）等を用いた３次元的な組織、臓器構築等の再生医療にも役立つことが期待される。
【図面の簡単な説明】
【００１１】
【図１】本発明に係る培養例を示す。
【図２】膵管線癌（ＰＡＮＣ−１）の培養例を示す。
【図３】ＨＳＣ３細胞の培養例を示す。
【図４】ＨＳＣ−４細胞の培養例を示す。
【図５】Ｕ８７膠芽腫細胞の浸潤の解析例を示す。
【図６】培養キットの例を示す。
【図７】超小型風船を用いた培養例を示す。
【図８】ガラス製リングを用いた培養例を示す。
【発明を実施するための形態】
【００１２】
図１に本発明に係る洞内細胞培養法「In Sinus Cell Culture(iSCC)System」の流れを例として示す。
容器に雫型のビーズを吊り下げ、約２／３がコラーゲンゲルで包埋されるように、本実施例では新田ゼラチン株式会社製の「Cellmatrix  Tipe1−A（１型コラーゲン）」のコラーゲン混合溶液を、この容器に投入し、３７℃，３０分の条件で加温しゲル化する。
次にビーズ等を取り出して、洞を形成する。
洞内に細胞を播種し、上部をナイロン製等のメッシュ材で覆い、その上にコラーゲンゲルを重層する。
次に所定の培地を添加して培養する。
【００１３】
図２に実際に膵管線癌（ＰＡＮＣ−１）を培養した例を示す。
３日間の培養にて増殖しているのが認められた。
図３にＨＳＣ３がん細胞を培養した例を示し、細胞球が形成されているのが認められた。
図４にＨＳＣ−４細胞とＭＤＡ−ＭＢ−２３１細胞を、３週間培養した例を示す。
いずれも数日で巨大な細胞球の形式が認められ３週間では一部の細胞の重層化及び浸潤像が認められた。
図５にＵ８７膠芽腫細胞を３週間培養した例を示す。
一部、浸潤しているのが認められた。
【００１４】
図６に本発明の培養方法に使用するキットの例を示す。
洞を形成するための雫型のビーズを吊り下げた容器となっていて、上部の隙間からコラーゲン混合溶液や培地を投入できるようになっている。
洞の上部を覆うメッシュをメッシュサイズ２０〜４０μｍの円形ナイロンシートで形成した例になっている。
【００１５】
図７はゲル内に洞を形成する方法として、水を入れて膨らませた薄膜の風船を用いる例を示す。
図８はガラス製のリングを用いてゲル中に洞を形成し、ＨＳＣ３がん細胞を培養した例を示す。
細胞がリング状に増殖しているのが認められた。
【図１】
2019013192.tif 000003
【図２】
2019013192.tif 000004
【図３】
2019013192.tif 000005
【図４】
2019013192.tif 000006
【図５】
2019013192.tif 000007
【図６】
2019013192.tif 000008
【図７】
2019013192.tif 000009
【図８】
2019013192.tif 000010